(57)【要約】【課題】外窓の閉め忘れによる内窓の故障を未然に防止することができる二重窓用外窓の閉め忘れ防止システムを提供する。【解決手段】外窓１２が開いていることを検知する第１のセンサ１１０と、内窓１４が閉じられていることを検知する第２のセンサ１１２と、アラーム発生器１１４と、第１のセンサ１１０及び第２のセンサ１１２からの検知信号に基づいてアラーム発生器１１４を制御するＣＰＵ１１６とを備える。ＣＰＵ１１６は、第１のセンサ１１０から外窓１２が開状態であることを示す検知信号が出力され、かつ、第２のセンサ１１２から内窓１４が閉状態であることを示す検知信号が出力されると、アラーム発生器１１４に警報を発するように制御する。これにより、外窓１２が開いていた状態で内窓１４を閉めると、アラーム発生器１１４から警報が直ちに発するので、住人は外窓１２が開いていることを確認できる。【選択図】図５
2006144479.tif 000002
【特許請求の範囲】
【請求項１】
建物躯体に取り付けられる外窓と該外窓に対して室内側に取り付けられる内窓とを備えた二重窓において、
前記外窓が開いていることを検知する第１のセンサと、前記内窓が閉じられていることを検知する第２のセンサと、警報手段と、前記第１のセンサ及び第２のセンサからの検知信号に基づいて前記警報手段を制御する制御手段とを備えたことを特徴とする二重窓用外窓の閉め忘れ防止システム。
【請求項２】
前記制御手段は、前記第１のセンサから前記外窓が開状態であることを示す検知信号が出力され、かつ、前記第２のセンサから前記内窓が閉状態であることを示す検知信号が出力されると、前記警報手段に警報を発するように制御することを特徴とする請求項１に記載の二重窓用外窓の閉め忘れ防止システム。
【請求項３】
前記第１のセンサは、
前記外窓に取り付けられたクレセントが閉じられた際に電磁波を送受信する第１のアンテナと、該第１のアンテナから電力の供給を受けるとともに所定の返信信号を前記第１のアンテナから発信させる制御部とを備え、
前記第２のセンサは、
前記内窓が閉じられることを検出する閉検知センサと、前記第１のアンテナに向けて電磁波を発信するとともに前記第１のアンテナから返信された前記所定の返信信号を受信する第２のアンテナとを備え、
前記制御手段は、前記閉検知センサによって内窓が閉じられることを検出すると、前記第２のアンテナから前記電磁波を発生させるさせるとともに前記第１のアンテナからの返信信号を所定時間以内に受信しない場合には、前記警報手段を制御してアラームを発生させることを特徴とする請求項１に記載の二重窓用外窓の閉め忘れ防止システム。
【請求項４】
前記閉検知センサは、前記内窓の障子に取り付けられた近接スイッチであることを特徴とする請求項３に記載の二重窓用外窓の閉め忘れ防止システム。
【発明の詳細な説明】
【技術分野】
【０００１】
本発明は外窓と内窓とを備えた二重窓において、特に高層階に取り付けられた二重窓の内窓を風圧から保護するための二重窓用外窓の閉め忘れ防止システムに関する。
【背景技術】
【０００２】
住宅等の窓は、通常、一組の外障子と内障子とからなるガラス窓によって外部と遮断されており、その窓の断熱性能、防音性能等の窓性能を改善しようとした場合、窓全体又はガラスを、例えば複層ガラス等のような高性能のものに取り替える必要があった。しかし、これらの方策は、専門的で特殊な工事を伴うため工費がかかるとともに工期が長くなる等の理由により、一般的には実施されていないのが現状である。
【０００３】
そこで、窓性能の改善を簡便に行う方策として、既存のガラス窓の室内側に、もう一つの窓、すなわち内窓を簡易的に取り付けるという施工が行われるようになり、内窓専用の窓も商品化され、普及し始めている（例えば、特許文献１）。
【０００４】
このような内窓を採用することにより、断熱性能のみならず防音性能も向上させることができるとともに、内窓として例えば合わせガラスを使用することにより防犯性能も向上させることができるため、採用されるケースも増加の傾向にある。また、内窓の普及とともにマンションの高層化に伴い、高層階においても内窓を設け、内窓と既存の外窓とからなる二重窓によって窓の性能を向上させたいというニーズも増えてきている。
【特許文献１】実開平２−８１８９４号公報
【発明の開示】
【発明が解決しようとする課題】
【０００５】
しかしながら、従来の内窓は、基本的に低層住宅を対象として強度設計されたものがほとんどである。このため、マンションの高層階にて内窓を使用した場合、外窓が開いていると、内窓が風圧（低層階よりも比較的高い風圧）を直接受けるため、内窓の障子がサッシから脱落したり、破損したりするという虞があった。これらの理由により、従来の内窓は、高層階での使用が制限されていた。
【０００６】
本発明は、このような事情に鑑みてなされたもので、外窓の閉め忘れによる内窓の故障を未然に防止することができる二重窓用外窓の閉め忘れ防止システムを提供することを目的とする。
【課題を解決するための手段】
【０００７】
請求項１に記載の発明は、前記目的を達成するために、建物躯体に取り付けられる外窓と該外窓に対して室内側に取り付けられる内窓とを備えた二重窓において、前記外窓が開いていることを検知する第１のセンサと、前記内窓が閉じられていることを検知する第２のセンサと、警報手段と、前記第１のセンサ及び第２のセンサからの検知信号に基づいて前記警報手段を制御する制御手段とを備えたことを特徴とする二重窓用外窓の閉め忘れ防止システムを提供する。
【０００８】
請求項１に記載の発明は、外窓及び内窓の開閉を検知するセンサをそれぞれ備え、これらのセンサから出力される検知信号に基づいて制御手段が警報手段を制御し、内窓をまさに閉めようとしている住人に外窓の開閉状態を強制的に知らしめるようにした。すなわち、請求項１に記載の発明は、外窓が開いているにもかかわらず、内窓を不注意で閉めてしまうことを、第１のセンサ、第２のセンサ、警報手段、及び制御手段からなる二重窓用外窓の閉め忘れ防止システムによって防止したものである。これにより、外窓の閉め忘れによる内窓の故障を未然に防止することができる。
【０００９】
請求項２に記載の発明は、請求項１に記載の発明において、前記制御手段は、前記第１のセンサから前記外窓が開状態であることを示す検知信号が出力され、かつ、前記第２のセンサから前記内窓が閉状態であることを示す検知信号が出力されると、前記警報手段に警報を発するように制御することを特徴としている。これにより、外窓が開いていた状態で内窓を閉めると、警報手段から警報が直ちに発するので、住人は外窓が開いていることを即座に確認でき、外窓を閉じてから内窓を閉じることができる。よって、外窓の閉め忘れによる内窓の故障を未然に防止することができる。
【００１０】
請求項３に記載の発明は、請求項１に記載の発明において、前記第１のセンサは、前記外窓に取り付けられたクレセントが閉じられた際に電磁波を送受信する第１のアンテナと、該第１のアンテナから電力の供給を受けるとともに所定の返信信号を前記第１のアンテナから発信させる制御部とを備え、前記第２のセンサは、前記内窓が閉じられることを検出する閉検知センサと、前記第１のアンテナに向けて電磁波を発信するとともに前記第１のアンテナから返信された前記所定の返信信号を受信する第２のアンテナとを備え、前記制御手段は、前記閉検知センサによって内窓が閉じられることを検出すると、前記第２のアンテナから前記電磁波を発生させるさせるとともに前記第１のアンテナからの返信信号を所定時間以内に受信しない場合には、前記警報手段を制御してアラームを発生させることを特徴としている。
【００１１】
ＷＯ９８／２１６９１号公報等にも見られるように、近年、超小型のＩＣチップと無線通信用のアンテナとを内蔵した無線ＩＣタグによる識別装置が開発されてきている。この無線ＩＣタグには、電源を内蔵したアクティブ型と、電源を有しないパッシブ型とがあり、パッシブ型の無線ＩＣタグの電源は、リーダーと称される無線通信装置のアンテナから発信される電磁波を、無線ＩＣタグ内の前記アンテナによって受信し、その誘導起電力を利用して発電を行い、これによって電力及び命令を実行するための時間の単位となるクロックを作成する。また、発電された電力を利用してＩＣを駆動し、メモリに記録されているデータを、リーダーからの電磁波に合わせてリーダー側に送信したり、メモリ中のデータを書き換えたりする。パッシブ側の無線ＩＣタグは、電源を持たないことから小型化が図られ、最近では０．３ｍｍ角の超小型なものも開発されてきており、また、アンテナにおいても２ｍｍ角の小型なものが開発されてきている。
【００１２】
請求項３に記載の発明は、このような無線ＩＣタグとリーダーとからなる識別装置を利用して、外窓及び内窓の開閉状態を識別することにより、外窓の閉め忘れによる内窓の故障を未然に防止したものである。
【００１３】
すなわち、第１のセンサは、外窓に取り付けられたクレセントが閉じられた際に電磁波を送受信する第１のアンテナと、第１のアンテナから電力の供給を受けるとともに所定の返信信号を第１のアンテナから発信させる制御部とを備えたものであり、前述した識別装置のパッシブ側の無線ＩＣタグに相当する。
【００１４】
また、第２のセンサは、内窓が閉じられることを検出する閉検知センサと、第１のアンテナに向けて電磁波を発信するとともに第１のアンテナから返信された所定の返信信号を受信する第２のアンテナとを備えたものであり、前述した識別装置のリーダーに相当する。
【００１５】
そして、この制御手段は、閉検知センサによって内窓が閉じられることを検出すると、第２のアンテナから電磁波を発生させ、この後、第１のアンテナからの返信信号を所定時間以内に受信しない場合に、すなわち、外窓のクレセントが閉じられていない場合に、警報手段を制御してアラームを発生させる。
【００１６】
クレセントの状態を以下のとおり検知することも本発明に含まれる。クレセントの開閉に応じて、第１のアンテナ回路の開閉を切り替える。これには以下の（１）（２）の態様が含まれる。
【００１７】
（１）クレセントが開の状態になったことを検知して第１のアンテナ回路を開の状態に制御する。また、クレセントが閉の状態になったことを検知して第１のアンテナ回路を閉の状態に制御する。
【００１８】
（２）クレセントが閉の状態になったことを検知して第１のアンテナ回路を開の状態に制御し、また、クレセントが開の状態になったことを検知して第１のアンテナ回路を閉の状態に制御してもよい。
【００１９】
そして、第２のセンサは、この第１のアンテナ回路の開閉の状態に応じた返信信号の有無に基づいて、外窓のクレセントの状態を検知する。例えば、上記（１）、（２）の態様に応じてそれぞれ以下の（３）、（４）の態様が本実施例に含まれる。
【００２０】
（３）第２のセンサは、第１のアンテナ回路が開であれば、この第１のアンテナ回路から返信信号を受信せず、クレセントが開の状態であると検知する。また、第２のセンサは、第１のアンテナ回路が閉であるば、この第１のアンテナ回路から返信信号を受信し、クレセントが閉の状態であると検知する。
【００２１】
（４）第２のセンサは、第１のアンテナ回路が開であれば、この第１のアンテナ回路から返信信号を受信せず、クレセントが閉の状態であると検知する。また、第２のセンサは、第１のアンテナ回路が閉であれば、この第１のアンテナ回路から返信信号を受信し、クレセントが開の状態であると検知する。
【００２２】
このような形態をとると、ＩＣチップには外部端子としてアンテナ用端子のみの構成としてもよい。また、クレセントの開閉についての検出信号用の入力信号端子はなくともよい。
【００２３】
請求項３に記載の発明は、外窓の障子自体が閉じられていた場合であっても、外窓のクレセントが閉じられていなければ、その状態を外窓が開いている状態であると識別し、その場合にアラームを発生させるようにした。これにより、外窓が完全に閉まった状態で内窓を閉めることができるので、外窓の閉め忘れによる内窓の故障を未然にかつ確実に防止することができる。
【００２４】
請求項４に記載の発明は、請求項３に記載の発明において、前記閉検知センサは、前記内窓の障子に取り付けられた近接スイッチであることを特徴とする。
【００２５】
内窓の外障子及び内障子において、各々の障子の框のうち閉時に重なる縦框に閉検知センサを取り付けることにより、内窓の閉状態を非接触にて検知することができる。例えば、近接スイッチとして、永久磁石を用いた磁気形近接スイッチを使用した場合には、磁気形近接スイッチを一方の縦框に取り付け、永久磁石を他方の縦框に取り付ける。そうすると、内窓が閉じたこと、又は閉じる直前であることを、磁気検出素子を有する磁気形近接スイッチが、前記永久磁石の磁束変化を検出することにより容易に検知できる。
【発明の効果】
【００２６】
以上説明したように本発明に係る二重窓用外窓の閉め忘れ防止システムによれば、外窓及び内窓の開閉を検知する第１のセンサ及び第２のセンサを備え、第１のセンサ及び第２のセンサから出力される検知信号に基づいて制御手段が警報手段を制御し、内窓を閉めようとしている住人に外窓の開閉状態を強制的に知らしめるようにしたので、外窓の閉め忘れによる内窓の故障を未然に防止することができる。
【発明を実施するための最良の形態】
【００２７】
以下、添付図面に従って本発明に係る二重窓用外窓の閉め忘れ防止システムの好ましい実施の形態を詳説する。
【００２８】
図１は、二重窓１０を構成する外窓１２及び内窓１４の斜視図が示され、図２は、図１に示した二重窓１０の一部破断部を含む横断面図が示されている。
【００２９】
図２の如く外窓１２は、コンクリート製の建物躯体１６の開口部１８に取り付けられた窓枠２０を介して建物躯体１６に設置される。この窓枠２０は、図１の如く上横枠２２、下横枠２４、右縦枠２６、及び左縦枠２８（図２参照）からなる矩形状のアルミニウム製フレームであり、この窓枠２０に、外障子３０及び内障子３２が取り付けられて外窓１２が構成されている。
【００３０】
外障子３０は、上横框３４、下横框３６、右縦框３８、及び左縦框４０（図２参照）からなる矩形状のアルミニウム製サッシであり、このサッシの内側に矩形のガラス板４２が嵌め込まれることにより外障子３０が構成される。また、内障子３２は、上横框４４、下横框４６、右縦框４８、及び左縦框５０からなる矩形状のアルミニウム製サッシであり、このサッシの内側に矩形のガラス板５２が嵌め込まれることにより内障子３２が構成されている。
【００３１】
このように構成された外障子３０及び内障子３２は、各々の下横框３６、４６の下部に回転自在に取り付けられた不図示の滑車が、窓枠２０の下横枠２４に形成された一対のレール５３、５３に沿って走行移動されることにより、外窓１２を開閉する。
【００３２】
図３の如く内障子３２の左縦框５０には、クレセント５４が取り付けられている。このクレセント５４は、クレセント本体５６を、外障子３０の右縦框３８に取り付けられたクレセント受け５８に係合させることにより、外障子３０と内障子３２とを固定する。
【００３３】
クレセント５４は、クレセント本体５６と台座６０とから構成され、この台座６０は、内障子３２の左縦框５０にビス６２、６２によって固定されている。また、クレセント本体５６は、台座６０に不図示の軸を介して回動自在に取り付けられている。更に、クレセント本体５６は、把手部６４と円弧状に形成された爪部６６とによって構成され、把手部６４を掴んでクレセント本体５６を図３の開位置から図４の閉位置に回動することにより、爪部６６がクレセント受け５８に形成されたフック６８に係合される。これにより、外障子３０と内障子３２とがクレセント５４によって固定される。
【００３４】
一方、図１に示した内窓１４は、建物の建築時に施工される外窓１２に対し、建築物の建築後に居住者の嗜好によって取り付けられる簡易型の窓構造体であり、例えば図２の如く建物躯体１６の開口部１８に後付けにより固定される枠体６９を介して建物躯体１６に取り付けられる。
【００３５】
図１の如く内窓１４の窓枠７０は、上横枠７２、下横枠７４、右縦枠７６、及び左縦枠７８（図２参照）からなるフレームであり、この窓枠７０に、外障子８０及び内障子８２が取り付けられて内窓１４が構成されている。例えば、上横枠７２、右縦枠７６、左縦枠７８を塩化ビニル樹脂とし、下横枠７４をアルミニウムと塩化ビニル樹脂の複合体として、軽量化を計りつつ一定の強度を保つ構成とすることができる。外障子８０は、上横框８４、下横框８６、右縦框８８、及び左縦框９０（図２参照）からなる略矩形状のアルミニウムと塩化ビニル樹脂の複合体サッシであり、このサッシの内側に矩形のガラス板９２が嵌め込まれることにより外障子８０が構成される。また、内障子８２は、上横框９４、下横框９６、右縦框９８、及び左縦框１００からなる略矩形状のアルミニウムと塩化ビニル樹脂の複合体サッシであり、このサッシの内側に矩形のガラス板１０２が嵌め込まれることにより内障子８２が構成されている。
【００３６】
このように構成された外障子８０及び内障子８２は、各々の下横框８６、９６の下部に回転自在に取り付けられた不図示の滑車が、窓枠７０の下横枠７４に形成された一対のレール１０３、１０３に沿って走行移動されることにより、内窓１４が開閉される。なお、内窓１４のガラス板９２、１０２は、２枚のガラスの間に、中間膜（例えば、ポリビニルブチラール）を挟み込んだ合わせガラスであり、防犯用に適したガラス板である。なお、合わせガラスに代えて、一般の板ガラス、網線入りガラス、複層ガラスを使用してもよい。また、当然であるが、外窓１２のガラス板４２、５２を合わせガラス、網線入りガラス、又は複層ガラスにしてもよい。
【００３７】
この外障子８０及び内障子８２も、クレセント１０４によって固定／固定解除される。このクレセント１０４については、図３、図４に示したクレセント５４と機能上同一構成なので、ここではその説明を省略する。
【００３８】
ところで、実施の形態の二重窓１０では、外窓１２の閉め忘れによる内窓１４の故障を未然に防止するために、二重窓用外窓の閉め忘れ防止システムが二重窓１０に取り付けられている。
【００３９】
実施の形態の二重窓用外窓の閉め忘れ防止システムは、図５に示すように、外窓１２が開いていることを検知する第１のセンサ１１０と、内窓１４が閉じられていることを検知する第２のセンサ１１２と、アラーム発生器（警報手段）１１４と、第１のセンサ１１０及び第２のセンサ１１２からの検知信号に基づいてアラーム発生器１１４を制御するＣＰＵ（制御手段）１１６とを備えている。
【００４０】
この二重窓用外窓の閉め忘れ防止システムによれば、ＣＰＵ１１６は、第１のセンサ１１０から外窓１２が開状態であることを示す検知信号が出力され、かつ、第２のセンサ１１２から内窓１４が閉状態であることを示す検知信号が出力されると、アラーム発生器１１４に警報を発するように制御する。これにより、外窓１２が開いていた状態で内窓１４を閉めると、アラーム発生器１１４から警報が直ちに発するので、住人は外窓１２が開いていることを即座に確認でき、外窓１２を閉じてから内窓１４を閉じる。よって、外窓１２の閉め忘れによる内窓１４の故障を未然に防止することができる。
【００４１】
ここで実施の形態の第１のセンサ１１０は、超小型のＩＣチップ１２０と無線通信及び電力供給用のアンテナ（第１のアンテナ）１２２とを内蔵した無線ＩＣタグであり、電源を有しないパッシブ型のものである。
【００４２】
ＩＣチップ１２０及びアンテナ１２２は、図３に示すように、外窓１２の内障子３２に取り付けられたクレセント５４の近傍の左縦框５０に貼着されるとともに配線１２４、１２６を介して接続されている。配線１２４は、その一端が図５に示すようにＩＣチップ１２０に接続され、その他端が金属製のクレセント５４のクレセント本体５６に接続されている。また、配線１２６は、その一端がアンテナ１２２に接続されるとともに、その他端が不図示の接点を介してクレセント受け５８に接続されている。前記接点は、外窓１２の外障子３０と内障子３２とが閉じられた時に接触する一対の接片を有し、一方の接片が外障子３０の右縦框３８に固着され、他方の接片が内障子３２の左縦框５０に固着されている。したがって、外障子３０と内障子３２とが閉じられた時に前記接片同士が接触するので、ＩＣチップ１２０とアンテナ１２２は、外障子３０と内障子３２とを閉じた後、クレセント５４を固定した際に電気的に接続される。すなわち、クレセント５４が、チップ１２０とアンテナ１２２とを接続するスイッチの役目をなしている。なお、ＩＣチップ１２０、アンテナ１２２、配線１２４、１２６、接点、及びクレセント５４を、アルミニウム製サッシに対して絶縁するために、ＩＣチップ１２０、アンテナ１２２、配線１２４、１２６、接点、及びクレセント５４を、例えばポリエステル製又は耐熱性の高いシリコン製の絶縁シートを介してサッシに取り付けることが好ましい。
【００４３】
ＩＣチップ１２０は、ＣＰＵ（制御部）１２８、ＲＯＭ１３０、電源回路１３２、及びインターフェース１３４から構成され、クレセント５４を介してアンテナ１２２と接続されている。ＣＰＵ１２８は、各部を統括制御する処理部であり、ＲＯＭ１３０はＣＰＵ１２８の動作に必要な制御プログラムを格納するとともに、外窓１２が閉じられていることを示す所定の返信情報が格納されている。この返信情報は、所定のタイミングでＣＰＵ１２８によって読み出され、アンテナ１２２から返信情報を示す所定の返信信号（電磁波）として発信される。
【００４４】
電源回路１３２は、アンテナ１２２からの誘導起電力を平滑化して電力を発生し、各部の回路に供給する。インターフェース１３４は、外部との通信制御を実施して情報の交換を行う機能を有するが、このＩＣチップ１２０は読み書き可能なＲＡＭ、ＥＥＰＲＯＭ等を有しておらず、前記返信信号のみを発信させる簡易な構造のものなので、実際には情報の交換は行わない。すなわち、第１のセンサ１２０は、クレセント５４が閉じられた際に電磁波を送受信するアンテナ１２２と、アンテナ１２２から電力の供給を受けるとともに所定の返信信号をアンテナ１２２から発信させるＣＰＵ１２８とを備えた簡易な無線ＩＣタグである。
【００４５】
一方、第２のセンサ１１２、ＣＰＵ１１６、及びアラーム発生器１１４は、内窓１４の所定の位置に取り付けられている。すなわち、第２のセンサ１１２である閉検知センサは、図２に示すように内窓１４の障子に取り付けられた磁気形近接スイッチ（近接スイッチ）１３６であり、内窓１４の外障子８０及び内障子８２において、各々の障子８０、８２の框のうち閉時に重なる一方の縦框８８に磁気形近接スイッチ１３６が固着され、それに対向する縦框１００に永久磁石１３８が取り付けられている。これにより、内窓１４が閉じられたこと、又は閉じられる直前であることを、磁気検出素子を有する磁気形近接スイッチ１３６が、永久磁石１３８の磁束変化を検出することにより検知される。
【００４６】
ＣＰＵ１１６も同様に縦框８８に内蔵され、アラーム発生器１１４も縦框８８に設けられている。また、アンテナ（第２のアンテナ）１４０が、縦框８８の外窓１２との対向面であって、外窓１２及び内窓１４の閉時にアンテナ１２２と対向する位置に固着されている。このアンテナ１４０は、磁気形近接スイッチ１３６によって内窓１４が閉じられたこと、又は閉じられる直前であることが検知されると、ＣＰＵ１１６によって駆動され電磁波を発信する。アンテナ１２２とアンテナ１４０との間の通信距離としては、交信距離が３ｍｍ以下の密着型や、短波を使い、交信距離が１０ｃｍ以下の近接型があるが、本例では外窓１２と内窓１４との離間距離を考慮して近接形が選択されている。また、アラーム発生器１１４、ＣＰＵ１１６、及び磁気形近接スイッチ１３６を駆動するボタン電池も縦框８８に着脱自在に内蔵されている。ＣＰＵ１１６は、前記ボタン電池の使用寿命が短くなったことを示すアラーム音、又は電池交換を促す音声をアラーム発生器１１４から発生させることができる。
【００４７】
次に、無線ＩＣタグを使用した二重窓用外窓の閉め忘れ防止システムの作用について説明すると、ＣＰＵ１１６は、磁気形近接スイッチ１３６によって内窓１４が閉じられたこと、又は閉じられる直前であることが検出されると、アンテナ１４０から電磁波を発生させる。この後、ＣＰＵ１１６は、アンテナ１２２からの返信信号を所定時間（例えば１秒）以内に受信しない場合に、すなわち、外窓１２のクレセント５４が閉じられていない場合に、アラーム発生器１１４を制御して、外窓１４が開いていることを示すアラームを発生させる。
【００４８】
したがって、この二重窓用外窓の閉め忘れ防止システムによれば、外窓１２の外障子３０及び内障子３２自体が閉じられていた場合であっても、外窓１４のクレセント５４が閉じられていなければ、その状態を外窓１４が開いている状態であると識別し、アラームを発生させる。これにより、外窓１２が完全に閉まった状態で内窓１４を閉めることができるので、外窓１２の閉め忘れによる内窓１４の故障を未然にかつ確実に防止することができる。
【００４９】
一方で、クレセント５４が閉じていれば、アンテナ１２２から外窓１２が閉じられていることを示す返信信号をアンテナ１４０を介してＣＰＵ１１６が受信するので、その場合には、アラーム音を発生させない。これにより、住人は、外窓１２が完全に閉じていることを、アラーム音を聞かないことで確認できる。
【００５０】
なお、実施の形態で説明したように、ＣＰＵ１１６をボタン電池によって常時起動させておくとともにアンテナ１４０から電磁波を常時発信させ、アンテナ１２２からの返信信号の有無に基づいて外窓１２の開閉を判断するようにしてもよい。また、内窓１４の外障子８０及び内障子８２が重なる各々の框８８、１００のうちの一方の框にコイル、他方の框に棒磁石を配置し、コイル及び棒磁石が接近した時、すなわち、内窓１４が閉じられようとした時に発生する誘導起電力によりＣＰＵ１１６、アラーム発生器１１４、及び第２のセンサ１１２を起動させて外窓１２の開閉を確認させるようにしてもよい。これにより、電池が不要になるので節電を図ることができる。
【００５１】
なお、第１のセンサ１１０、第２のセンサ１１２、アラーム発生器１１４、及びＣＰＵ１１６からなる実施の形態の閉め忘れ防止システムは、二重窓の施工時に組み付けてもよいが、既設の二重窓に後付けすることもできる。
【図面の簡単な説明】
【００５２】
【図１】実施の形態の二重窓用外窓の閉め忘れ防止システムが適用された二重窓の構成を示した斜視図
【図２】図１に示した二重窓の横断面図
【図３】クレセントによって外窓の外障子及び内障子が固定解除された状態を示す斜視図
【図４】クレセントによって外窓の外障子及び内障子が固定された状態を示す斜視図
【図５】実施の形態の二重窓用外窓の閉め忘れ防止システムの構成を示すブロック図
【符号の説明】
【００５３】
１０…二重窓、１２…外窓、１４…内窓、１６…建物躯体、２０…窓枠、３０、８０…外障子、３２、８２…内障子、４２、５２、９２、１０２…ガラス板、５４、１０４…クレセント、５６…クレセント本体、５８…クレセント受け、６０…台座、１１０…第１のセンサ、１１２…第２のセンサ、１１４…アラーム発生器、１１６、１２８…ＣＰＵ、１２０…ＩＣチップ、１２２、１４０…アンテナ、１２４、１２６…配線、１３０…ＲＯＭ、１３２…電源回路、１３４…インターフェース、１３６…磁気形近接スイッチ、１３８…永久磁石
【図１】
2006144479.tif 000003
【図２】
2006144479.tif 000004
【図３】
2006144479.tif 000005
【図４】
2006144479.tif 000006
【図５】
2006144479.tif 000007